(57)【要約】【課題】任意の動線に沿って売場や商品などを関連つけて情報提示を行う。【解決手段】ノード指定機能１１で始点ノード、終点ノードを受け付け、経路設定機能１２が配置データベースを参照して始点ノードから終点ノードに至る経路を算出し、映像選択機能１３が経路上の次のノードのキーワードを売場データベース１６から取得し、取得したキーワードに関連付けられた映像ファイル名を映像データベース１７から検索して、映像ノードデータベース１９にノードと映像ファイル名とを関連付けて格納し、通信機能１４がデジタルサイネージ２からの問い合わせに応じて、問い合わせたデジタルサイネージ２に対応するノードに関連付けられた映像ファイル名で指定された映像ファイルを送信する。【選択図】図１
2013162342.tif 000002
【特許請求の範囲】
【請求項１】
複数のデジタルサイネージに映像を配信する映像配信装置であって、
前記複数のデジタルサイネージそれぞれをノードとしてデジタルサイネージの配置情報を格納した配置記憶手段と、
始点ノードと終点ノードの入力を受け付ける入力手段と、
前記配置情報を参照して前記始点ノードから終点ノードへ至る経路を算出し、経路上のノードを経路順に記載したノードリストを生成する経路設定手段と、
ノードと当該ノードに対応する前記デジタルサイネージに関するキーワードを関連付けて格納したノード情報記憶手段と、
映像ファイル名と前記キーワードを関連付けて格納した映像情報記憶手段と、
前記ノードリストに記載された各ノードについて、当該ノードの次のノードに関連付けられた前記キーワードを前記ノード情報記憶手段から検索し、検索した前記キーワードが関連付けられた前記映像ファイル名を前記映像情報記憶手段から検索して、当該ノードと前記映像ファイル名とを関連付けて配信情報記憶手段に格納する映像選択手段と、
前記デジタルサイネージからの問い合わせに応じて、当該デジタルサイネージに対応するノードに関連付けられた前記映像ファイル名を前記配信情報記憶手段から検索し、検索した映像ファイル名を持つ映像を当該デジタルサイネージに配信する配信手段と、
を有することを特徴とする映像配信装置。
【発明の詳細な説明】
【技術分野】
【０００１】
本発明は、所定の場所へ人を誘導するための映像を配信する技術に関する。
【背景技術】
【０００２】
ビデオディスプレイなどを用いて商品などの映像を提示するデジタルサイネージと呼ばれる広告媒体がある。特許文献１には、デジタルサシネージを用いてショッピングモールなどの場内にいる客を特定の場所へ誘導するシステムが記載されている。
【先行技術文献】
【特許文献】
【０００３】
【特許文献１】特開２０１１−２４８５０５号公報
【発明の概要】
【発明が解決しようとする課題】
【０００４】
しかしながら、従来のデジタルサイネージでは、「催事場に客を誘導したいが、催事と関係のある売場にも客を流したい」「複数の売場を関連付けて客の動線を設定したい」というような場合に、売場や商品などの情報を動線に結びつけて提示する仕組みがないため容易に対応できないという問題がある。特許文献１には、客を特定の場所へ誘導することはできるが、任意の誘導経路を設定することは出来なかった。
【０００５】
本発明は、上記に鑑みてなされたものであり、任意の動線に沿って売場や商品などを関連つけて情報提示を行うことを目的とする。
【課題を解決するための手段】
【０００６】
本発明に係る映像配信装置は、複数のデジタルサイネージに映像を配信する映像配信装置であって、前記複数のデジタルサイネージそれぞれをノードとしてデジタルサイネージの配置情報を格納した配置記憶手段と、始点ノードと終点ノードの入力を受け付ける入力手段と、前記配置情報を参照して前記始点ノードから終点ノードへ至る経路を算出し、経路上のノードを経路順に記載したノードリストを生成する経路設定手段と、ノードと当該ノードに対応する前記デジタルサイネージに関するキーワードを関連付けて格納したノード情報記憶手段と、映像ファイル名と前記キーワードを関連付けて格納した映像情報記憶手段と、前記ノードリストに記載された各ノードについて、当該ノードの次のノードに関連付けられた前記キーワードを前記ノード情報記憶手段から検索し、検索した前記キーワードが関連付けられた前記映像ファイル名を前記映像情報記憶手段から検索して、当該ノードと前記映像ファイル名とを関連付けて配信情報記憶手段に格納する映像選択手段と、前記デジタルサイネージからの問い合わせに応じて、当該デジタルサイネージに対応するノードに関連付けられた前記映像ファイル名を前記配信情報記憶手段から検索し、検索した映像ファイル名を持つ映像を当該デジタルサイネージに配信する配信手段と、を有することを特徴とする。
【発明の効果】
【０００７】
本発明によれば、任意の動線に沿って売場や商品などを関連つけて情報提示を行うことができる。
【図面の簡単な説明】
【０００８】
【図１】本実施の形態におけるデジタルサイネージサーバを含む全体構成図である。
【図２】上記デジタルサイネージサーバが保持するデータの例を示す図である。
【発明を実施するための形態】
【０００９】
以下、本発明の実施の形態について図面を用いて説明する。
【００１０】
図１は、本実施の形態におけるデジタルサイネージサーバを含む全体構成図である。図１に示すデジタルサイネージシステムは、デジタルサイネージサーバ１（以下、サーバ１と称する）と複数のデジタルサイネージクライアント２（以下、デジタルサイネージ２と称する）を備え、サーバ１とデジタルサイネージ２はネットワーク１００を介して通信する。
【００１１】
サーバ１は、ノード指定機能１１、経路設定機能１２、映像選択機能１３、通信機能１４、配置データベース１５、売場データベース１６、映像データベース１７、映像ファイル保存装置１８、および映像ノードデータベース１９を備える。
【００１２】
デジタルサイネージ２は、通信機能２１、映像表示機能２２、およびノード番号記憶装置２３を備える。
【００１３】
サーバ１、デジタルサイネージ２が備える各部は、演算処理装置、記憶装置等を備えたコンピュータにより構成して、各部の処理がプログラムによって実行されるものとしてもよい。このプログラムはサーバ１、デジタルサイネージ２が備える記憶装置に記憶されており、磁気ディスク、光ディスク、半導体メモリ等の記録媒体に記録することも、ネットワークを通して提供することも可能である。以下、各部の処理についてサーバ１の処理の流れに沿って説明する。
【００１４】
本実施例では、個々のデジタルサイネージ２をノードとして扱い、各ノードにユニークなノード番号を与えるとともに、実空間においてデジタルサイネージ２間を結ぶ通路をリンクとする。
【００１５】
まず、ノード指定機能１１が、始点ノード、終点ノード、および０個以上の中間ノードの指定を受け付ける。
【００１６】
続いて、経路設定機能１２が、ノード指定機能１１により指定された始点ノード、終点ノード、および中間ノードと、配置データベース１５に格納された各ノードが有するリンクを制約条件として、始点ノードから終点ノードに至る経路を算出し、経路上のノードを経路順に記載したノードリストを生成して出力する。この経路の算出は、カーナビなどの経路選択に用いられる既存技術により行う。
【００１７】
配置データベース１５は、デジタルサイネージ２をノード、デジタルサイネージ２間の通路をリンクとして、ノード毎に、リンクで結ばれたノードを関連付けたデジタルサイネージ２の配置情報を格納する。図２（ａ）に配置データベース１５が格納する配置テーブルを示す。図２（ａ）に示す配置テーブルは、それぞれのノードが有するリンクで結ばれたノードを対向ノード番号で表してノード毎のリンクを格納する。図２（ａ）の例では、ノード１は、ノード２，３に対するリンクを有している。
【００１８】
続いて、映像選択機能１３が、経路設定機能１２が出力したノードリストに記載された各ノードについて、経路上の次のノードに関連付けられたキーワードを取得し、そのキーワードに関連する映像が再生されるように、ノードに対応するデジタルサイネージ２が再生する映像ファイルを選択する。経路上の次の売場に関連する映像を再生させることで、その売場にいる客を次の売場へと誘導することが可能となる。以下、ノード１からノード２への経路を例として、ノード１で再生する映像を選択する手順を示す。
【００１９】
まず、映像選択機能１３は、売場データベース１６から次のノードであるノード２のキーワードを検索する。
【００２０】
売場データベース１６は、図２（ｂ）に示すように、デジタルサイネージ２のノード番号と、デジタルサイネージ２が設置された売場の特徴を表すキーワードを関連付けたノード売場テーブルを保持する。キーワードとしては、ブランド名や商品カテゴリ、キャラクター名、ターゲットユーザ、売場番号、フロア番号等が考えられる。本実施例では、キーワードとしてブランド名を用いた。
【００２１】
続いて、映像選択機能１３は、映像データベース１７から上記で取得したキーワードをタグとして持つ映像ファイル名を検索する。
【００２２】
映像データベース１７は、図２（ｃ）に示すように、映像ファイル名と、その映像ファイルに関するタグを関連付けた映像タグテーブルを保持する。それぞれの映像ファイルに対応するタグは、１つでも良いし複数あってもよい。本実施例では、映像ファイルごとにブランド名のタグが１つ付与されているものとする。
【００２３】
そして、映像選択機能１３は、ノード番号と上記で取得した映像ファイル名を映像ノードデータベース１９に格納する。
【００２４】
このように、映像選択機能１３は、経路上の各ノードに対して上記の処理を行って各ノードで再生する映像ファイル名を取得して映像ノードデータベース１９に格納する。ただし、終点ノードについては、自ノードのキーワードに対応する映像ファイル名を取得する。
【００２５】
ここまでの処理により、映像ノードデータベース１９には、図２（ｄ）に示すように、ノード番号とそのノードで再生する映像ファイル名を対応付けた映像ノードテーブルが格納される。
【００２６】
通信機能１４は、デジタルサイネージ２から問い合わせを受けると、デジタルサイネージ２が指定したノード番号に対応する映像ファイル名を映像ノードデータベース１９から検索し、検索した映像ファイル名を持つ映像ファイルを映像ファイル保存装置１８から読み出してデジタルサイネージ２に転送する。
【００２７】
次に、デジタルサイネージ２の処理について説明する。
【００２８】
通信機能２１は、ノード番号記憶装置２３からそのデジタルサイネージ２に設定されたノード番号を読み出し、サーバ１にノード番号を送信して映像表示機能２２で表示すべき映像を問い合わせ、サーバ１から映像ファイルを受信する。
【００２９】
映像表示機能２２は、通信機能２１がサーバ１から受信した映像ファイルを再生する。
【００３０】
このように、各デジタルサイネージ２がサーバ１にノード番号を送信して対応する映像ファイルを受信し、再生することで、各デジタルサイネージ２には、意図する動線に沿った映像が表示される。
【００３１】
なお、本実施例では、次のデジタルサイネージ２が配置される場所の特徴に適合する映像ファイルを１つ選択して表示したが、表示する映像ファイルは、そのデジタルサイネージ２の配置場所等に適合する複数の映像ファイルを所定の割合で選択するようにしてもよい。次のデジタルサイネージ２に適合するものを選択する割合が高くなれば、誘導効果が高くなるため、当該割合を変えることにより、動線の強さを調節することができる。
【００３２】
以上説明したように、本実施の形態によれば、ノード指定機能１１で始点ノード、終点ノードを受け付け、経路設定機能１２が配置データベースを参照して始点ノードから終点ノードに至る経路を算出し、映像選択機能１３が経路上の次のノードのキーワードを売場データベース１６から取得し、取得したキーワードに関連付けられた映像ファイル名を映像データベース１７から検索して、映像ノードデータベース１９にノードと映像ファイル名とを関連付けて格納し、通信機能１４がデジタルサイネージ２からの問い合わせに応じて、問い合わせたデジタルサイネージ２に対応するノードに関連付けられた映像ファイル名で指定された映像ファイルを送信することにより、任意の動線に沿って売場や商品などを関連つけて情報提示を行うことができる。その結果、売場や商品などを訴求する情報を提示しながら、意図する動線に沿って客を誘導することが可能となる。
【符号の説明】
【００３３】
１…デジタルサイネージサーバ
１１…ノード指定機能
１２…経路設定機能
１３…映像選択機能
１４…通信機能
１５…配置データベース
１６…売場データベース
１７…映像データベース
１８…映像ファイル保存装置
１９…映像ノードデータベース
２…デジタルサイネージクライアント
２１…通信機能
２２…映像表示機能
２３…ノード番号記憶装置
１００…ネットワーク
【図１】
2013162342.tif 000003
【図２】
2013162342.tif 000004